(57)【要約】【課題】使い勝手がよく、組立てが簡単なカードリーダライタ及びそれに用いられる収納装置を提供する。【解決手段】第１の回動軸の一部に設けられ、第１の回動軸の軸径よりも小さな厚みでなる第１の幅狭部と、第２の回動軸の一部に設けられ、第２の回動軸の軸径よりも小さな厚みでなる第２の幅狭部と、第１の回動軸を第１の幅狭部で回動可能に支持する第１の支持孔と、第２の回動軸を前記第２の幅狭部で回動可能に支持する第２の支持孔と、第１の支持孔において、第１の回動軸をラジアル方向から回動可能に支持する支持面の一部に設けられ、第１の支持孔の内部と外部とを連通させる連通部と、第２の支持孔において、第２の回動軸をラジアル方向から回動可能に支持する支持面の一部に設けられた凹部とを備える。【選択図】図１
2012038015.tif 000002
【特許請求の範囲】
【請求項１】
価値媒体を複数収納する収納部と、
前記価値媒体を出し入れ可能な開口部と、
前記開口部が前記収納部の装着対象である筺体の内部に埋没した第１の回動位置と、前記開口部が前記筺体の外部に露出した第２の回動位置との間で回動可能に前記収納部を前記筺体に枢支する支持手段と、
を備え、
前記支持手段は、
前記収納部を回動可能に支持するための第１の回動軸及び当該第１の回動軸と同一軸線上に設けられた当該第１の回動軸と一体又は別体の第２の回動軸と、
前記第１の回動軸をラジアル方向から回動可能に支持する第１の支持面を有する第１の支持孔と、
前記第２の回動軸をラジアル方向から回動可能に支持する第２の支持面を有する第２の支持孔と、
前記第１の回動軸の前記第１の支持孔に支持される部位に設けられ、前記第１の回動軸の軸径よりも小さな厚みでなる第１の幅狭部と、
前記第２の回動軸の先端部から前記第２の支持孔に支持される部位に亘って設けられ、前記第２の回動軸の軸径よりも小さな厚みでなる第２の幅狭部と、
前記第１の支持面の一部に設けられ、前記第１の支持孔の内部と外部とを連通させる連通部と、
前記第２の支持面の一部に設けられ、前記第１の回動軸の前記第１の幅狭部が前記連通部を挿通することにより前記第１の回動軸が前記第１の支持孔の外部に外れる際に生じる前記第２の回動軸の傾斜を吸収する凹部と
を備えることを特徴とする収納装置。
【請求項２】
前記連通部は、
前記収納部が前記第２の回動位置にある状態で前記第１の幅狭部を前記第１の支持孔の外部に挿通させる位置に設けられていることを特徴とする請求項１に記載の収納装置。
【請求項３】
アンテナと、
前記アンテナを介した通信を行うための通信領域に通信対象であるカード状媒体を搬送する搬送手段と、
筐体の一部に設けられ、カード状媒体を複数収納するカード収納部と、
前記カード収納部に設けられ、前記カード状媒体を出し入れ可能な開口部と、
前記開口部が前記筺体の内部に埋没した第１の回動位置と、前記開口部が前記筺体の外部に露出した第２の回動位置との間で回動可能に前記カード収納部を前記筺体に枢支する支持手段と、
を備え、
前記支持手段は、
前記カード収納部を回動可能に支持するための第１の回動軸及び当該第１の回動軸と同一軸線上に設けられた当該第１の回動軸と一体又は別体の第２の回動軸と、
前記第１の回動軸をラジアル方向から回動可能に支持する第１の支持面を有する第１の支持孔と、
前記第２の回動軸をラジアル方向から回動可能に支持する第２の支持面を有する第２の支持孔と、
前記第１の回動軸の前記第１の支持孔に支持される部位に設けられ、前記第１の回動軸の軸径よりも小さな厚みでなる第１の幅狭部と、
前記第２の回動軸の先端部から前記第２の支持孔に支持される部位に亘って設けられ、前記第２の回動軸の軸径よりも小さな厚みでなる第２の幅狭部と、
前記第１の支持面の一部に設けられ、前記第１の支持孔の内部と外部とを連通させる連通部と、
前記第２の支持面の一部に設けられ、前記第１の回動軸の前記第１の幅狭部が前記連通部を挿通することにより前記第１の回動軸が前記第１の支持孔の外部に外れる際に生じる前記第２の回動軸の傾斜を吸収する凹部と
を備えることを特徴とするカードリーダライタ。
【請求項４】
前記連通部は、
前記カード収納部が前記第２の回動位置にある状態で前記第１の幅狭部を前記第１の支持孔の外部に挿通させる位置に設けられていることを特徴とする請求項３に記載のカードリーダライタ。
【請求項５】
前記第１及び第２の回動軸は、前記カード収納部に設けられており、
前記第１及び第２の支持孔は、前記筐体に設けられていることを特徴とする請求項３又は請求項４に記載のカードリーダライタ。
【発明の詳細な説明】
【技術分野】
【０００１】
本発明は、収納装置及びカードリーダライタに関し、例えば、遊技機間に設置されたサンドと呼ばれる貸玉装置に設けられるカードリーダライタ及びそれに用いられるカードの収納装置に関するものである。
【背景技術】
【０００２】
従来から、パチンコホールのような遊技場では、遊技機が多数設置された島と呼ばれる領域において、隣接する遊技機間に、パチンコ球やコイン等の遊技媒体を貸し出すための縦長状の遊技媒体貸出装置（以下、サンドと呼ぶ）が設置されている。
【０００３】
このサンドは、各遊技機間に設置されるフレームに設けられており、前面に設けられた投入口を介して、紙幣、硬貨、プリペイドカード等が挿入されることにより、遊技媒体を貸し出したり、遊技媒体の貸出しを促す信号を遊技機に送信したりするようになっている（特許文献１参照）。
【０００４】
また、遊技者のＩＤが記憶された非接触型のＩＣカードを携帯電話機に搭載し、このＩＣカードとサンドとの間で非接触による通信を行うことにより、サンドにおいて、ＩＣカードから読み出したＩＤに基づき、サーバに問い合わせを行って遊技者を特定し、当該遊技者に対する遊技媒体の貸出等を行うものも考えられている（特許文献２参照）。
【０００５】
また、サンドに設けられるカードリーダライタとしては、不要になったカードを収納するカード収納部を備えたものも考えられている（特許文献３参照）。
【先行技術文献】
【特許文献】
【０００６】
【特許文献１】特開２００６−２５４９７０号公報
【特許文献２】特開２００８−２５９６０３号公報
【特許文献３】特開２００４−２１５７６２号公報
【発明の概要】
【発明が解決しようとする課題】
【０００７】
ところで、不要になったカードをスタック（回収）するとともに、スタックされたカードを新たなカードとして発行する機能を有するリーダライタが考えられており、このようなリーダライタにおいては、スタックされたカード数が多くなった場合にはそれらのカードの一部をスタック部から取り出し、また、スタックされているカード数が少なくなった場合には、スタック部へカードを補充することができれば、使い勝手を向上し得ると考えられる。このようなリーダライタにおいては、スタック部を開閉可能な構成とすることが考えられるが、このような開閉機構を有するリーダライタの製造工程が煩雑になる問題があった。
【０００８】
上記の問題を鑑みて、本発明は、使い勝手がよく、組立てが簡単なカードリーダライタ及びそれに用いられる収納装置を提供することを目的とする。
【課題を解決するための手段】
【０００９】
本発明の実施の形態に係る特徴は、収納装置において、価値媒体を複数収納する収納部と、前記価値媒体を出し入れ可能な開口部と、前記開口部が前記収納部の装着対象である筺体の内部に埋没した第１の回動位置と、前記開口部が前記筺体の外部に露出した第２の回動位置との間で回動可能に前記収納部を前記筺体に枢支する支持手段と、を備え、前記支持手段は、前記収納部を回動可能に支持するための第１の回動軸及び当該第１の回動軸と同一軸線上に設けられた当該第１の回動軸と一体又は別体の第２の回動軸と、前記第１の回動軸をラジアル方向から回動可能に支持する第１の支持面を有する第１の支持孔と、前記第２の回動軸をラジアル方向から回動可能に支持する第２の支持面を有する第２の支持孔と、前記第１の回動軸の前記第１の支持孔に支持される部位に設けられ、前記第１の回動軸の軸径よりも小さな厚みでなる第１の幅狭部と、前記第２の回動軸の先端部から前記第２の支持孔に支持される部位に亘って設けられ、前記第２の回動軸の軸径よりも小さな厚みでなる第２の幅狭部と、前記第１の支持面の一部に設けられ、前記第１の支持孔の内部と外部とを連通させる連通部と、前記第２の支持面の一部に設けられ、前記第１の回動軸の前記第１の幅狭部が前記連通部を挿通することにより前記第１の回動軸が前記第１の支持孔の外部に外れる際に生じる前記第２の回動軸の傾斜を吸収する凹部とを備えることである。
【００１０】
この構成によれば、収納部の筐体に対する取り付け及び取り外しを簡単に行うことができるとともに、収納部が一定角度以上開かれた状態になるまで、取り外しができない状態となることにより、収納部を開閉する動作においては、収納部が不用意に外れないようにすることができる。
【００１１】
本発明の実施の形態に係る特徴は、前記構成において、前記連通部は、前記収納部が前記第２の回動位置にある状態で前記第１の幅狭部を前記第１の支持孔の外部に挿通させる位置に設けられていることである。
【００１２】
この構成によれば、収納部が第２の回動位置にある状態においてのみ収納部を取り外すことができることにより、収納部が不用意に外れないようにすることができる。
【００１３】
本発明の実施の形態に係る特徴は、カードリーダライタにおいて、アンテナと、前記アンテナを介した通信を行うための通信領域に通信対象であるカード状媒体を搬送する搬送手段と、筐体の一部に設けられ、カード状媒体を複数収納するカード収納部と、前記カード収納部に設けられ、前記カード状媒体を出し入れ可能な開口部と、前記開口部が前記筺体の内部に埋没した第１の回動位置と、前記開口部が前記筺体の外部に露出した第２の回動位置との間で回動可能に前記カード収納部を前記筺体に枢支する支持手段と、を備え、前記支持手段は、前記カード収納部を回動可能に支持するための第１の回動軸及び当該第１の回動軸と同一軸線上に設けられた当該第１の回動軸と一体又は別体の第２の回動軸と、前記第１の回動軸をラジアル方向から回動可能に支持する第１の支持面を有する第１の支持孔と、前記第２の回動軸をラジアル方向から回動可能に支持する第２の支持面を有する第２の支持孔と、前記第１の回動軸の前記第１の支持孔に支持される部位に設けられ、前記第１の回動軸の軸径よりも小さな厚みでなる第１の幅狭部と、前記第２の回動軸の先端部から前記第２の支持孔に支持される部位に亘って設けられ、前記第２の回動軸の軸径よりも小さな厚みでなる第２の幅狭部と、前記第１の支持面の一部に設けられ、前記第１の支持孔の内部と外部とを連通させる連通部と、前記第２の支持面の一部に設けられ、前記第１の回動軸の前記第１の幅狭部が前記連通部を挿通することにより前記第１の回動軸が前記第１の支持孔の外部に外れる際に生じる前記第２の回動軸の傾斜を吸収する凹部とを備えることである。
【００１４】
この構成によれば、カード収納部の筐体に対する取り付け及び取り外しを簡単に行うことができるとともに、カード収納部が一定角度以上開かれた状態になるまで、取り外しができない状態となることにより、カード収納部を開閉する動作においては、カード収納部が不用意に外れないようにし得る。
【００１５】
本発明の実施の形態に係る特徴は、前記構成において、前記連通部は、前記カード収納部が前記第２の回動位置にある状態で前記第１の幅狭部を前記第１の支持孔の外部に挿通させる位置に設けられていることである。
【００１６】
この構成によれば、カード収納部が第２の回動位置にある状態においてのみカード収納部を取り外すことができることにより、収納部が不用意に外れないようにすることができる。
【００１７】
本発明の実施の形態に係る特徴は、前記構成において、前記第１及び第２の回動軸は、前記カード収納部に設けられており、前記第１及び第２の支持孔は、筐体に設けられていることである。
【００１８】
この構成によれば、筺体側に回動軸を設けても、カード収納部の取り付け、取り外しを容易に行うことができると共に、使用状態においては、不用意に外れないようにすることができる。
【発明の効果】
【００１９】
本発明によると、使い勝手がよく、組立てが簡単なカードリーダライタ及びそれに用いられる収納装置を提供することができる。
【図面の簡単な説明】
【００２０】
【図１】本発明の実施の形態によるＩＣカードリーダライタの外観を示す斜視図である。
【図２】ＩＣカードリーダライタを組み込んだサンドを示す正面図である。
【図３】ＩＣカードリーダライタの前面部におけるベゼルの取付け状態を示す斜視図である。
【図４】ベゼルの裏面部を示す斜視図である。
【図５】ベゼルの断面を示す断面図である。
【図６】アンテナ基板の裏面を示す平面図である。
【図７】ＩＣカード及び携帯電話機の使用状態を示す斜視図である。
【図８】ＩＣカードリーダライタの筐体の内部構造を示す斜視図である。
【図９】通信領域に設けられたアンテナ基板を示す平面図である。
【図１０】アンテナ基板及び制御基板を示す側面図である。
【図１１】ＩＣカードリーダライタの背面部側を示す斜視図である。
【図１２】スタック部の背面側を示す斜視図である。
【図１３】スタック部の前面側を示す斜視図である。
【図１４】開閉蓋の側面を示す側面図である。
【図１５】膨出部材の構成を示す斜視図である。
【図１６】ＩＣカードの搬送動作の説明に供する概略図である。
【図１７】携帯電話機の使用方法の説明に供する概略図である。
【図１８】支持部を示す部分的拡大図である。
【図１９】開閉蓋がＩＣカードリーダライタの筐体に対して閉じられた状態を示す側面図である。
【図２０】開閉蓋がＩＣカードリーダライタの筐体に対して開かれた状態を示す側面図である。
【図２１】図１８のＡ−Ａ線を断面にとって示す断面図である。
【図２２】支持部の変形例を示す断面図である。
【図２３】支持部に形成された凹部の変形例を示す断面図である。
【図２４】筐体の内部構造を示す斜視図である。
【図２５】他の実施の形態に係る筐体を示す斜視図である。
【図２６】他の実施の形態に係る筐体を示す斜視図である。
【図２７】他の実施の形態に係る凹部を示す部分的拡大図である。
【発明を実施するための形態】
【００２１】
以下、本発明の実施の形態について、添付図面に基づき詳細に説明する。
【００２２】
図１は、本実施の形態に係るＩＣカードリーダライタ４０の外観を示す斜視図である。このＩＣカードリーダライタ４０は、図２に示すように、パチンコ機１０の間に配設されたサンド（遊技媒体貸出装置）２０に設けられている。
【００２３】
各サンド２０は、ホール全体のシステム管理や売上管理を行うコントローラ（図示せず）と通信可能に接続されている。各サンド２０には、例えばホールのカード発行機（図示せず）によって発行されたＩＣカードを挿入するためのカード挿入口６１、紙幣を挿入するための紙幣挿入口２１、硬貨を投入するための硬貨投入口２２及び遊技者が操作する操作ユニット２４等が設けられている。操作ユニット２４には、テンキーが配列されている。
【００２４】
遊技者は、ＩＣカード、所定金額の紙幣又は硬貨を、カード挿入口６１、紙幣挿入口２１又は硬貨投入口２２から投入することにより、遊技に必要な遊技媒体（パチンコ球）の貸出しを受けることができる。
【００２５】
価値媒体としてのＩＣカードは、ホールに設置されたカード発行機又はサンド２０において発行されるものであり、発行時において、遊技者がカード発行機又はサンド２０に投入した金額に応じた金額データが書き込まれる。金額データが書き込まれたＩＣカードが挿入されたサンド２０は、当該ＩＣカードに書き込まれている金額データの範囲内で、遊技者が操作ユニット２４を操作することにより指定した金額に応じたパチンコ球の貸出し数を、当該サンド２０に併設されたパチンコ機１０に送出する。パチンコ機１０は、サンド２０から送出された信号に基づいて、当該信号によって指定された数のパチンコ球を遊技者に提供する。この場合、サンド２０は、遊技者に提供されたパチンコ球に相当する金額を、挿入されているＩＣカードの金額データから減算する。これにより、遊技者は、ＩＣカードを現金の代わりに用いることができる。
【００２６】
上述したように、サンド２０は、ＩＣカードを発行するカード発行機としての機能も有しており、遊技者が紙幣挿入口２１又は硬貨投入口２２から紙幣又は硬貨を投入し、操作ユニット２４を操作してカードの発行及び金額を指定することにより、サンド２０に組み込まれたＩＣカードリーダライタ４０は、指定された金額に応じた金額データを、当該ＩＣカードリーダライタ４０のスタック部（後述）にスタックされているＩＣカードに書き込んだ後、カード挿入口６１を介して遊技者に排出する。遊技者は、このＩＣカードを用いてパチンコ球の貸出しを受けることができる。
【００２７】
遊技者が挿入したＩＣカードの金額データが０となった場合、サンド２０のＩＣカードリーダライタ４０は、当該ＩＣカードを排出せずに、スタック部に回収してスタックする。これにより、使い終わったＩＣカードは常にスタック部に回収されることとなり、不要となったＩＣカードがホール内に捨てられることを防止することができる。また、スタック部に回収されたＩＣカードは、サンド２０がＩＣカードのカード発行機として用いられる場合に新たなカードとして利用される。これにより、ＩＣカードを使い回すことができる。
【００２８】
図１に示すように、ＩＣカードリーダライタ４０は、全体が箱型の筐体４１に収納されており、この筐体４１がサンド２０（図２）の内部に固定されるようになっている。筐体４１の前面部４１Ａには、カード挿入口６１が形成されたベゼル６０が固定されている。このベゼル６０は、樹脂材料によって全体が半透明に形成されている。ベゼル６０の内部には、携帯電話機等に装着されたＩＣカードとの間で非接触で通信を行うためのアンテナを配したアンテナ基板が設けられている（後述）。
【００２９】
ＩＣカードリーダライタ４０の筐体４１は、パチンコ機１０間の狭いスペースに設けられたサンド２０内に収まるような形状に形成されている。すなわち、筐体４１は、その奥行きＤに対して幅方向の厚みＷが薄く形成されており、この内部には、複数のＩＣカードをスタックするためのスタック部２００、カード挿入口６１から挿入されたＩＣカード又はスタック部２００から供給されたＩＣカードとの間で非接触で通信を行うための通信手段、動作を制御するための制御基板等が設けられている。
【００３０】
スタック部２００においては、筐体４１の一方の側面部に開閉蓋２０１が回動軸２０２（２０２Ａ、２０２Ｂ）を介して開閉可能に枢支されている。この開閉蓋２０１には、複数のＩＣカードを保持するためのカード保持部（後述）が設けられている。図１に一点鎖線で示すように、開閉蓋２０１を所定角度まで回動させて、開閉蓋２０１（スタック部２００）の前方開口部２０６が筺体４１の外部に露出した状態においては、前方開口部２０６から内部に積層収納されているＩＣカードを取り出すことができると共に、内部にＩＣカードを補充することができる。この前方開口部２０６を介してのＩＣカードの取り出し及び補充は、遊技ホールのスタッフが行う行為である。なお、このＩＣカードの取り出し及び補充は、後述するカード挿入口４２、６１を介して行うこともできる。スタック部２００の詳細については後述する。
【００３１】
筐体４１の前面部４１Ａには、遊技者がＩＣカードを挿入するためのカード挿入口４２（後述）が設けられており、このカード挿入口４２を覆うようにベゼル６０が装着されている。
【００３２】
図３は、ＩＣカードリーダライタ４０の前面部４１Ａにおけるベゼル６０の取付け状態を示す斜視図であり、図４は、ベゼル６０の裏面部を示す斜視図である。図３に示すように、筐体４１の前面部４１Ａには、ＩＣカードを挿入するためのカード挿入口４２が設けられており、前面部４１Ａにベゼル６０が装着された際に、ベゼル６０のカード挿入口６１と前面部４１Ａのカード挿入口４２とが連通するようになっている。
【００３３】
ベゼル６０の裏面側の一方の縁部には、平板状の突起部６４Ａ、６４Ｂが突設されており、この突起部６４Ａ、６４Ｂは、それぞれ筐体４１の前面部４１Ａに穿設された係合孔４４Ａ、４４Ｂに挿入されるようになっている。
【００３４】
また、ベゼル６０の裏面側の隅部には、突起部６５Ａ、６５Ｂが突設されており、この突起部６５Ａ、６５Ｂは、それぞれ筐体４１の前面部４１Ａに穿設された係合孔４５Ａ、４５Ｂに挿入されるようになっている。
【００３５】
突起部６４Ａ、６４Ｂ及び６５Ａ、６５Ｂを係合孔４４Ａ、４４Ｂ及び４５Ａ、４５Ｂに挿入した状態において、突起部６４Ａ、６４Ｂに形成されたねじ孔を介して当該突起部６４Ａ、６４Ｂを筐体４１にねじ止めすることにより、ベゼル６０を筐体４１の前面部４１Ａに固定することができる。
【００３６】
また、図４及び図５に示すように、ベゼル６０の裏面側において、カード挿入口６１を挟んで対向する位置に突起部６６Ａ、６６Ｂ及び６７Ａ、６７Ｂが、ＩＣカード１５０の挿入方向に延在するように設けられている。これら突起部６６Ａ、６６Ｂ及び６７Ａ、６７Ｂの先端部には、ＩＣカード１５０の通過領域から外側に広がるようなテーパ形状部６６Ｃ、６７Ｃが形成されており、矢印ｂ方向（図５）に排出されるＩＣカード１５０がこのテーパ形状部６６Ｃ、６７Ｃにガイドされるようになっている。これにより、排出されるＩＣカード１５０は、円滑にカード挿入口６１内にガイドされて排出される。
【００３７】
ベゼル６０の裏面側には、位置決め用の突起部６８Ａ、６８Ｂが設けられており、この突起部６８Ａ、６８Ｂをアンテナ基板７０（図３）の位置決め孔７１Ａ、７１Ｂに嵌合することにより、ベゼル６０に対してアンテナ基板７０を位置決めすることができる。このように位置決めした状態で、アンテナ基板７０の貫通孔７２を介してベゼル６０の裏面側のねじ孔６９にねじ７３をねじ止めすることにより、アンテナ基板７０をベゼル６０の裏面側に固定することができる。
【００３８】
アンテナ基板７０は、ＩＣカード１５０を挿通することが可能な大きさの挿通孔７５を有し、アンテナ基板７０をベゼル６０に固定した状態で当該ベゼル６０を筐体４１の前面部４１Ａに固定すると、アンテナ基板７０の挿通孔７５と、ベゼル６０のカード挿入口６１と、筐体４１の前面部４１Ａに形成されたカード挿入口４２とが連通するようになっている。これにより、ベゼル６０を筐体４１の前面部４１Ａに固定した状態において、ベゼル６０のカード挿入口６１、アンテナ基板７０の挿通孔７５及び筐体４１のカード挿入口４２を介して、ＩＣカード１５０を筐体４１の内部へ挿入することができ、また、筐体４１内部のＩＣカード１５０を外部へ排出することができる。
【００３９】
アンテナ基板７０の前面７０Ａ（図３）には、ＩＣカードリーダライタ４０の動作状態やＩＣカード１５０の挿入許可状態であるか否かといった情報を発光態様によって表示するＬＥＤ７６Ａ、７６Ｂが設けられている。このＬＥＤ７６Ａ、７６Ｂから発せられた光は、半透明のベゼル６０を介して、ベゼル６０の前面側に透過するようになっている。これにより、遊技者は、ベゼル６０を介してその背後に設けられているＬＥＤ７６Ａ、７６Ｂの光を目視することができる。
【００４０】
図６は、アンテナ基板７０の裏面７０Ｂを示す平面図である。図６に示すように、アンテナ基板７０の裏面７０Ｂには、ＩＣカードリーダライタ４０の筐体４１の内部に設けられたコネクタと接続するためのコネクタ７７がアンテナ基板７０の裏面７０Ｂから突出するように設けられており、ベゼル６０をアンテナ基板７０とともに筐体４１に固定した際に、アンテナ基板７０のコネクタ７７が、筐体４１の前面部４１Ａに形成された貫通孔４６を介して筐体内部のコネクタ（図示せず）に接続されるようになっている。これにより、コネクタ７７を介して、筐体４１側からアンテナ基板７０側へ電源及び制御信号を送出することができ、ＬＥＤ７６Ａ、７６Ｂを発光制御したり、後述するアンテナ７８を介して外部機器との間で非接触により通信を行ったりすることができる。
【００４１】
アンテナ基板７０の裏面７０Ｂには、電磁誘導方式等により非接触で通信対象と通信を行うためのアンテナ７８が設けられている。このアンテナ７８は、アンテナ基板７０の裏面側に配線されたアンテナパターンであり、アンテナ基板７０の挿通孔７５の周囲を巻回するように形成されている。このアンテナ７８により、ベゼル６０の前方に電磁誘導方式による通信を行うことが可能な空間が形成される。
【００４２】
これにより、図７に示すように、例えば電磁誘導方式による非接触通信を行うためのアンテナが設けられた携帯電話機１５５をベゼル６０に近づけることにより、アンテナ基板７０のアンテナ７８を介して、携帯電話機１５５とＩＣカードリーダライタ４０の制御回路（後述）との間で通信を行うことができる。なお、この通信の方式は、例えば、キャリア周波数が１３．５６ＭＨｚの電磁誘導方式であるが、これに限られるものではない。また、ベゼル６０の内部に設けられたアンテナ基板７０のアンテナ７８と通信を行う対象は、携帯電話機１５５に限られるものではなく、要は、アンテナ基板７０のアンテナ７８との間で非接触による通信を行うことができる通信手段を有する機器であれば、種々の機器を適用することができる。
【００４３】
このように、ＩＣカードリーダライタ４０においては、ベゼル６０に設けられたカード挿入口６１から挿入可能なＩＣカード１５０に対する筐体内部での非接触通信（後述）を行うことに限られず、カード挿入口６１からは挿入し得ない形状（例えば携帯電話機１５５）の機器との間においても、非接触で通信を行うことができる。すなわち、従来は金額データ等の情報をＩＣカードに記憶させてこれをパチンコ球の貸出し等に利用していたが、このような使用方法に加えて、携帯電話機１５５等をＩＣカードの代わりに用いることができる。この場合、図７に示すように、例えば、携帯電話機１５５をアンテナ基板７０のアンテナ７８にかざして携帯電話機１５５とＩＣカードリーダライタ４０との間で非接触の通信を行うことにより、ＩＣカードリーダライタ４０が携帯電話機１５５から当該携帯電話機１５５の固有の識別番号を取得する。ＩＣカードリーダライタ４０が組み込まれたサンド２０は、当該サンド２０が設置されているホールのサーバにアクセスして、携帯電話機１５５から取得した識別番号が登録されているか否かを判断し、登録されている場合には、その識別番号に対応した金額データや貯球数等の情報を取得し、これらの情報に基づいてパチンコ球の貸出し等の処理を行う。
【００４４】
ＩＣカードリーダライタ４０は、パチンコ機１０（図２）の間の狭い領域に配置されたサンド２０に組み込まれており、ＩＣカードリーダライタ４０のＩＣカード１５０を挿入するためのカード挿入口６１は、ＩＣカードリーダライタ４０の筐体４１の前面部４１Ａに設けられている。すなわち、比較的狭い前面部４１Ａにおいては、カード挿入口６１の周囲の領域に巻回型のアンテナ７８を配置することにより、前面部４１Ａの面積を有効利用することができる。
【００４５】
次に、カード挿入口６１から挿入されたＩＣカード１５０との間で非接触で通信を行うための構成について説明する。図７に示すように、ＩＣカードリーダライタ４０の筐体４１の前面部４１Ａに設けられたカード挿入口６１に対してＩＣカード１５０を挿入すると、ＩＣカードリーダライタ４０は、筐体４１の内部に設けられたカード搬送機構部によって、挿入されたＩＣカード１５０を所定位置まで引き込み、所定位置においてＩＣカード１５０との間で非接触による通信を行うことにより、ＩＣカード１５０に対する情報の書込み及び読出しを行う。なお、ＩＣカード１５０との間の通信としては、例えばキャリア周波数が１３．５６ＭＨｚの電磁誘導方式を用いるが、これに限られるものではない。
図８は、ＩＣカードリーダライタ４０の筐体４１の内部構造を示す斜視図である。図８は、図１に示したスタック部２００（開閉蓋２０１）等を省略して示す図である。
【００４６】
図８に示すように、ＩＣカードリーダライタ４０の内部には、カード挿入口６１から挿入されたＩＣカード１５０（図７）との間で非接触で通信を行うための通信領域ＡＲ１１と、複数のＩＣカードをスタックするためのスタック領域（保管領域）ＡＲ１２とが設けられている。
【００４７】
筐体４１においては、カード挿入口６１から通信領域ＡＲ１１及びスタック領域ＡＲ１２が順次直列に配置されており、これら２つの領域に亘って、複数の搬送ローラ９１〜９５に掛け渡された搬送ベルト１０５と、複数の搬送ローラ９６〜１００に掛け渡された搬送ベルト１０６とが設けられている。これらの搬送ベルト１０５、１０６は、搬送ローラ９１、９６がモータ（図示せず）によって回転駆動されることにより、ＩＣカード１５０を搬入方向（カード挿入口６１から通信領域ＡＲ１１、スタック領域ＡＲ１２へと搬入する方向）又は排出方向（スタック領域ＡＲ１２から通信領域ＡＲ１１、カード挿入口６１へと排出する方向）へ搬送するように駆動される。
【００４８】
通信領域ＡＲ１１には、ＩＣカード１５０に対向する位置にアンテナ基板８０が設けられている。このアンテナ基板８０には、電磁誘導方式等により非接触でＩＣカード１５０と通信を行うためのアンテナ８１（図９）が設けられている。図９に示すように、アンテナ８１は、アンテナ基板８０のＩＣカード対向面側に配線されたアンテナパターンであり、アンテナ基板８０の面上において巻回パターンを形成するように設けられている。このアンテナ８１により、通信領域ＡＲ１１に電磁誘導方式による通信を行うことが可能な空間が形成される。これにより、ＩＣカードリーダライタ４０の制御回路は、通信領域ＡＲ１１に搬送されたＩＣカード１５０に対して、アンテナ基板８０のアンテナ８１を介して通信を行うことができる。なお、この通信の方式は、例えば、キャリア周波数が１３．５６ＭＨｚの電磁誘導方式であるが、これに限られるものではない。
【００４９】
図１０に示すように、アンテナ基板８０には、所定間隔を隔てて制御基板１２０が固定されており、この制御基板１２０には上述した制御回路が設けられている。さらに、この制御回路とアンテナ基板８０のアンテナ８１とが接続されている。これにより、制御基板１２０の制御回路の制御によりアンテナ８１を介したＩＣカード１５０との間の通信を行う。また、図３、図６及び図７について上述したように、制御基板１２０の制御回路には、ベゼル６０のアンテナ基板７０に形成されたアンテナ７８が接続されており、制御回路は、アンテナ７８を介した通信対象（携帯電話機１５５等）との通信を行う。
【００５０】
制御回路においては、アンテナ基板７０のアンテナ７８と、アンテナ基板８０のアンテナ８１との切り換えを行うためのリレーが設けられている。制御回路は、このリレーを制御することにより、アンテナ７８を介した通信又はアンテナ８１を介した通信のいずれかを選択的に実行する。
【００５１】
次に、スタック領域ＡＲ１２に設けられたスタック部２００について説明する。スタック領域ＡＲ１２には、複数枚のＩＣカード１５０を積層して収納するスタック部２００（図１）が設けられている。図１に示したように、スタック部２００は、ＩＣカードリーダライタ４０の筐体４１に対して回動軸２０２Ａ、２０２Ｂを介して回動可能に枢支されている。スタック部２００を回動させることにより、内部に収納されたＩＣカード１５０も一体に回動され、スタック部２００の開閉蓋２０１の前方開口部２０６（図１４）を筐体４１の外部に向けた状態で内部のＩＣカード１５０を取り出し、また、内部へＩＣカード１５０を収納することができる。例えば、スタック部２００内のＩＣカード１５０が全てカード挿入口６１から排出されて遊技者の利用に供された場合、遊技ホールのスタッフは、スタック部２００の開閉蓋２０１を開けて内部に新たなＩＣカード１５０を挿入することができる。また、内部に収納されているＩＣカード１５０の数が多くなった場合、遊技ホールのスタッフは、スタック部２００の開閉蓋２０１を開けて内部のカードを取り出すことができる。
【００５２】
図１１は、ＩＣカードリーダライタ４０の背面部４１Ｂ側を示す斜視図である。図１１に示すように、ＩＣカードリーダライタ４０の背面部４１Ｂの縁部には、スタック部２００の開閉蓋２０１の回動軸２０２Ａ及び２０２Ｂを枢支するための支持部４７、４８が設けられている。回動軸２０２Ａ及び２０２Ｂは、互いに同一軸線上に設けられている。
【００５３】
図１２は、スタック部２００の背面側を示す斜視図であり、図１３は、スタック部２００の前面側を示す斜視図である。スタック部２００は、直方体形状の開閉蓋２０１の内部に複数のＩＣカード１５０を積層収納するように構成されている。図１３に示すように開閉蓋２０１には、内部に収納されたＩＣカード１５０を押さえる押さえ板２１０が設けられている。この押さえ板２１０は、開閉蓋２０１の天板２０５（開閉蓋２０１の内面部）に対面し、天板２０５に接近する方向又は離間する方向に移動可能に開閉蓋２０１に支持されている。また、押さえ板２１０は、コイルばね等の付勢手段（図示せず）により、天板２０５から離間する方向に付勢されている。これにより、開閉蓋２０１内において、ＩＣカード１５０を押さえ板２１０の当接面２１０Ａ側で押さえるようになっている。
【００５４】
開閉蓋２０１の側面部には、内部に収納されるＩＣカード１５０を支持する支持板２１１Ａ〜２１１Ｄが設けられている。この支持板２１１Ａ〜２１１ＤのＬ字状に曲折した先端部にＩＣカード１５０の引掛けることにより、開閉蓋２０１の内部において天板２０５に平行にＩＣカード１５０を保持することができる。
【００５５】
図１４は、開閉蓋２０１の側面を示す側面図である。図１４に示すように、開閉蓋２０１においては、その前方開口部２０６から内部へＩＣカード１５０を挿入することにより、複数のＩＣカード１５０を積層収納することができる。
【００５６】
開閉蓋２０１が筺体４１に対して閉じられた状態においては、その前方開口部２０６が通信領域ＡＲ１１（図８）側に向けて配置されることにより、開閉蓋２０１が閉じられた状態において、通信領域ＡＲ１１にあるＩＣカード１５０が搬送ベルト１０５、１０６の送り駆動に伴ってスタック領域ＡＲ１２へ搬送されると、当該ＩＣカード１５０は、開閉蓋２０１の前方開口部２０６からその内部へ挿入される。
【００５７】
ここで、スタック領域ＡＲ１２（図８）の底面部には、当該底面部から筺体４１の内部空間へ膨出可能に支持された膨出部材２５０が設けられている。図１５に示すように、膨出部材２５０は、搬送ローラ９４、９９の回転軸に固定され当該回転軸と一体に回転する偏心カム２５１に係合されており、偏心カム２５１の回転に伴って、矢印ｄで示す方向に上下動するようになっている。これにより、搬送ローラ９１〜１００をモータ（図示せず）によって回転させてＩＣカード１５０を通信領域ＡＲ１１からスタック領域ＡＲ１２へ搬送する際に、搬送ローラ９４、９９の回転に伴って膨出部材２５０がスタック領域ＡＲ１２へ膨出する。膨出部材２５０が膨出すると、スタック部２００の開閉蓋２０１内に既にＩＣカード１５０が収納されている場合には、このＩＣカード１５０が膨出部材２５０によって押し上げられ、その下に通信領域ＡＲ１１から搬送された新たなＩＣカード１５０が挿入される空間が確保される。このとき、膨出部材２５０によって押し上げられた既に保持されているＩＣカード１５０の下に新たなＩＣカード１５０が挿入開始されるタイミングで、膨出部材２５０はスタック領域ＡＲ１２から退避する。この退避のタイミングは、偏心カム２５１の形状によって設定されている。このように膨出部材２５０が退避することにより、通信領域ＡＲ１１から搬入された新たなＩＣカード１５０は、膨出部材２５０に邪魔されることなく、開閉蓋２０１へ確実に搬入される。
【００５８】
以上説明したように、本実施の形態のＩＣカードリーダライタ４０は、ＩＣカード１５０との間の通信処理と、携帯電話機１５５との間の通信処理を行うことができる。図１６に示すように、ベゼル６０のカード挿入口６１を介してＩＣカード１５０が挿入されると、ＩＣカードリーダライタ４０は、搬送ベルト１０５、１０６を駆動することによって、ＩＣカード１５０をアンテナ基板８０に対向する通信領域ＡＲ１１まで搬送する（図１６（Ａ）、（Ｂ））。この通信領域ＡＲ１１においてアンテナ基板８０を介したＩＣカード１５０との間の通信が終了し例えばＩＣカード１５０の金額データが０となると、ＩＣカードリーダライタ４０は、搬送ベルト１０５、１０６を駆動して、ＩＣカード１５０をスタック領域ＡＲ１２まで搬送する。この場合、図１５について上述したように、膨出部材２５０がスタック部２００にスタックされているＩＣカード１５０を押し上げて、その下に新たなＩＣカード１５０の挿入空間を形成する（図１６（Ｃ））。
【００５９】
この状態において、ＩＣカードリーダライタ４０は、さらに搬送ベルト１０５、１０６を駆動することにより、通信が終了したＩＣカード１５０を、膨出部材２５０によって形成された挿入空間内に搬入する（図１６（Ｄ））。
これにより、通信が終了してスタックすべきと判断されたＩＣカード１５０は、スタック部２００にスタックされる。
【００６０】
また、遊技者が紙幣挿入口２１や硬貨投入口２２（図２）から紙幣や硬貨を挿入してＩＣカード１５０の発行を指定した場合、サンド２０は、ＩＣカードリーダライタ４０のスタック部２００にスタックされているＩＣカード１５０を搬送ベルトの排出方向への駆動により、通信領域ＡＲ１１まで搬送して通信を行うことにより、当該ＩＣカード１５０に金額データを書き込んだ後、これをカード挿入口６１から排出する。
【００６１】
一方、図１７に示すように、ベゼル６０のカード挿入口６１から挿入し得ない形状の通信対象（例えば、携帯電話機１５５）との間においても、当該携帯電話機１５５をベゼル６０に設けられたアンテナ基板７０に近づけることにより、ＩＣカードリーダライタ４０は、アンテナ基板７０を介して携帯電話機１５５と非接触通信を行うことができる（図１７（Ａ）、（Ｂ））。
【００６２】
次に、スタック部２００の開閉蓋２０１の開閉機構について説明する。図１１に示したように、開閉蓋２０１には、ＩＣカードリーダライタ４０の筐体４１の支持部４７に枢支される回動軸２０２Ａと、筐体４１の支持部４８に枢支される回動軸２０２Ｂとを有している。回動軸２０２Ａ及び２０２Ｂは、同様の形状を有している。図１８（Ａ）は、支持部４７を示す部分的拡大図である。図１８（Ａ）に示すように、支持部４７は、開閉蓋２０１の一方の回動軸２０２Ａを回動可能に嵌合する支持孔４７Ａと、この支持孔４７Ａの内周面（第２の支持面）４７Ｃに形成された凹部４７Ｂとから構成されている。支持孔４７Ａは、円弧状の内周面４７Ｃにより形成されており、回動軸２０２Ａ（図１４）には、支持孔４７Ａに摺接する円弧状の摺接面（外周面）２０３Ａを有している。支持孔４７Ａは、その内周面４７Ｃによって、回動軸２０２Ａの摺接面２０３Ａをラジアル方向から回動可能に支持する。
【００６３】
また、回動軸２０２Ａ（図１４）には、摺接面２０３Ａを挟んで上下に略平行に一対の平面部（第２の幅狭部）２０４Ａを有している。この平面部２０４Ａは、開閉蓋２０１の天板２０５（開閉蓋２０１の内面部）と平行に形成されており、回動軸２０２Ａの先端部から支持孔４７Ａに支持される領域に亘って形成されている。この平面部２０４Ａの間隔Ｌ１は、支持孔４７Ａの内周面に形成された凹部４７Ｂの幅Ｌ２（図１８（Ａ））よりも小さく形成されている。平面部２０４Ａは、回動軸２０２Ａの一部に設けられ、当該回動軸２０２Ａの軸径（支持孔４７Ａの内径）よりも小さな厚みを有する幅狭部を構成している。なお、平面部２０４Ａは、必ずしも平面形状である必要はなく、凹部４７Ｂに嵌り込む形状であればよい。
【００６４】
図１９に示すように、開閉蓋２０１がＩＣカードリーダライタ４０の筐体４１に対して閉じられた状態においては、回動軸２０２Ａの幅狭部（平面部２０４Ａ）は、凹部４７Ｂには嵌り込まない状態となっているのに対して、図２０に示すように、開閉蓋２０１を矢印ｅ方向に回動させて開いた状態とした場合、回動軸２０２Ａの幅狭部（平面部２０４Ａ）は、凹部４７Ｂに嵌り込むことが可能な状態となる。この凹部４７Ｂの形成角度は、開閉蓋２０１がどの角度まで開かれた場合に、回動軸２０２Ａの幅狭部（平面部２０４Ａ）が凹部４７Ｂに嵌り込むことが可能な状態となるかを決定する角度となる。
【００６５】
一方、開閉蓋２０１の回動軸２０２Ｂは、図１４について上述した回動軸２０２Ａと同様の形状を有しており、この回動軸２０２Ｂ側においては、図１８（Ｂ）に示すように、支持部４７の支持孔４７Ａ（図１８（Ａ））と同様の支持孔４８Ａが筐体４１に形成されており、この支持孔４８Ａの内周面（回動軸２０２Ｂをラジアル方向から支持する第１の支持面）４８Ｃの一部には、支持孔４８Ａの内部と外部とを連通させる連通部４８Ｂが形成されている。この連通部４８Ｂの形成角度は、支持部４７の凹部４７Ｂ（図１８（Ａ））の形成角度と同様となっている。また、連通部４８Ｂの幅Ｌ３は、回動軸２０２Ｂの一対の平面部（回動軸２０２Ａの第２の幅狭部（平面部２０４Ａ）と同一形状でなる第１の幅狭部）間の間隔よりも大きく形成されている。これにより、図２０に示したように、開閉蓋２０１を一定の角度まで開いた状態において、回動軸２０２Ｂを連通部４８Ｂを介して支持孔４８Ａの外部に移動させることができる。この場合の開閉蓋２０１の角度は、遊技ホールでホールスタッフが開閉蓋２０１を開いてＩＣカード１５０を取り出す場合又はＩＣカード１５０を補充する場合の角度よりも大きくなるように設定されている。これにより、通常のホールスタッフによる使用時においては、開閉蓋２０１が不用意に外れることを防止することができる。すなわち、ＩＣカードリーダライタ４０の製造工程や修理点検時においては、図２０に示すような開閉蓋２０１が大きく開いた状態でこれを筺体４１に容易に組み込み、又は取り外すことができ、使用中においては、不用意に外れることを防止することができる。
【００６６】
図１８のＡ−Ａ線を断面にとって示す図２１は、開閉蓋２０１を筐体４１へ装着する方法を示す図である。図２１（Ａ）に示すように、開閉蓋２０１を所定の角度に開いた状態で回動軸２０２Ａを支持部４７に挿入する（図２１（Ｂ））。この場合、開閉蓋２０１は、筐体４１に対して傾斜した状態となるが、支持部４７には凹部４７Ｂが形成されていることにより、回動軸２０２Ａを支持孔４７Ａに対して斜めに挿入することができる。すなわち、回動軸２０２Ａを斜めに支持孔４７Ａに挿入しても、回動軸２０２Ａの一部が凹部４７Ｂに逃げることにより、回動軸２０２Ａを支持孔４７Ａ内に挿入することができる。
【００６７】
一方の回動軸２０２Ａが支持孔４７Ａ内に挿入された状態において（図２１（Ｂ））、他方の回動軸２０２Ｂを支持孔４８Ａへ挿入する。この場合、支持孔４８Ａには、連通部４８Ｂが形成されていることにより、回動軸２０２Ｂをこの連通部４８Ｂを介して支持孔４８Ａ内に挿入することができる。
【００６８】
回動軸２０２Ｂが支持孔４８Ａ内に挿入された状態においては（図２１（Ｃ））、開閉蓋２０１は、筐体４１に対して平行な状態となることにより、回動軸２０２Ａ、２０２Ｂは、支持孔４７Ａ、４８Ａ内を回動可能な状態となる。これにより、開閉蓋２０１を閉じることができる。
【００６９】
これに対して、筐体４１に装着された開閉蓋２０１を取り外す場合、筐体４１に対して閉じられた状態の開閉蓋２０１を所定角度まで開き（図２０）、この状態において、まず回動軸２０２Ｂを支持部４８の連通部４８Ｂを介して取り外す。この状態においては、他方の回動軸２０２Ａは支持孔４７Ａに対して斜めの状態になるが、回動軸２０２Ａの第２の幅狭部（平面部２０４Ａ）と回動軸２０２Ｂの第１の幅狭部とが同じ方向を向いて形成されており、支持部４７の凹部４７Ｂと支持部４８の連通部４８Ｂとが同じ方向を向いて形成されていることにより、回動軸２０２Ａの一部が支持孔４７Ａに形成された凹部４７Ｂに逃げることにより、回動軸２０２Ａを斜めにしながら、支持孔４７Ａから引き抜くことができる。
【００７０】
このように、一方の支持孔４８Ａに連通部４８Ｂを形成し、他方の支持孔４７Ａに凹部４７Ｂを形成することにより、開閉蓋２０１を容易に着脱することができる。また、連通部４８Ｂ及び凹部４７Ｂの形成角度により、開閉蓋２０１を一定の角度まで開いた状態においてのみこれを取り外すことができるようにしたことにより、通常の開閉動作において不用意に開閉蓋２０１が外れるといった不都合を回避することができる。
【００７１】
すなわち、ＩＣカードリーダライタ４０の製造工程においては、開閉蓋２０１の取り付けをし易くすることができるとともに、通常の使用状態において開く必要のない角度まで開閉蓋２０１を開かない限りこれが外れることがないため、通常の動作であるＩＣカード１５０を補給する際の開閉動作に支障をきたすことがなくなる。
【００７２】
また、一方の支持部４８のみに連通部４８Ｂを形成し、他方の支持部４７には凹部４７Ｂを形成するようにしたことにより、開閉蓋２０１が一定角度まで開かれた状態においても、意識的に取り外す動作を行わなければ、開閉蓋２０１が簡単には外れないため、開閉蓋２０１が一定角度まで開かれた状態においても、当該開閉蓋２０１が不用意に外れることを防止することができる。また、このような構成においては、一方の連通部４８Ｂのみが外観上見える状態となり、支持部４７、４８の両方に連通部４８Ｂを形成する場合に比べて、デザイン上有利となる。
【００７３】
なお、上述の実施の形態においては、開閉蓋２０１側に回動軸２０２Ａ、２０２Ｂを設け、筐体４１側に支持部４７、４８を設ける場合について述べたが、これに限られるものではなく、例えば図２１との対応部分に同一符号を付して示す図２２に示すように、筐体４１側に回動軸２０２Ａ、２０２Ｂを設け、開閉蓋２０１側に支持部４７、４８（支持孔４７Ａ、４８Ａ、凹部４７Ｂ、連通部４８Ｂ）を設けるようにしてもよい。
【００７４】
このような構成においても、開閉蓋２０１側の支持孔４７Ａに筐体４１側の回動軸２０２Ａを挿入させながら、開閉蓋２０１の他方の支持孔４８Ａに筐体４１の回動軸２０２Ｂを挿入させることができる。これにより、開閉蓋２０１側に回動軸２０２Ａ、２０２Ｂを設けた場合と同様の取り外し機能を持たせることができる。
また、上述の実施の形態においては、支持部４７の凹部４７Ｂとして、支持孔４７Ａに平行な凹部４７Ｂ（図２１）を形成する場合について述べたが、凹部４７Ｂの形状はこれに限られるものではなく、例えば図２３に示すように、回動軸２０２Ａの挿入方向に向かって次第に広がるようなテーパ状に形成するようにしてもよい。
【００７５】
ＩＣカードリーダライタ４０は、上述したＩＣカード１５０に対する通信機能及びＩＣカードを装着した携帯電話機１５５等のカード挿入口６１から挿入し得ない形状の通信対象との間の通信機能、ＩＣカード１５０をスタックするスタック部２００等の構成に加えて、カード挿入口６１から挿入されるＩＣカード１５０の挿入制限を行う機構を有している。
【００７６】
図２４は、筐体４１の内部構造を示す斜視図である。図２４に示すように、筐体４１の内部には、ベゼル６０（カード挿入口６１）が設けられた側に、ＩＣカード１５０の挿入を制限するカードロック部１６０が設けられている。このカードロック部１６０は、ＩＣカード１５０を搬送するための搬送ローラ９１〜９５、９６〜１００の回転に伴って回転するシャフト１６５に嵌合された２つのロック爪１６１、１６２を有する。このロック爪１６１、１６２は、シャフト１６５に対して、僅かな摩擦力をもってシャフト１６５と一体に回動するようになっている。
【００７７】
ＩＣカード１５０がカード挿入口６１（図８）から挿入されると、所定位置に設けられたセンサ（図示せず）によって当該ＩＣカード１５０が検出され、ＩＣカード１５０をカード挿入口６１（図８）から搬入する方向に搬送ローラ９１〜９５、９６〜１００が回転駆動される。これに応じてロック爪１６１、１６２はその先端部をカード挿入経路上に持ち上げるように回動する。センサの位置に応じて、搬送ローラ９１〜９５、９６〜１００が回転開始するタイミング（すなわち、ロック爪１６１、１６２が回動開始するタイミング）が決定されており、ＩＣカード１５０がカード挿入口６１から搬送ベルト１０５、１０６（図８）に達する程度まで挿入された際に、搬送ローラ９１〜９５、９６〜１００が回転開始し、これに応じてロック爪１６１、１６２が回動開始するようになっている。
【００７８】
ロック爪１６１、１６２の位置は、搬送ベルト１０５、１０６よりもカード挿入口６１側に設けられていることにおり、ＩＣカード１５０が搬送ベルト１０５、１０６に達する程度まで挿入された状態においては、ロック爪１６１、１６２の回動方向にＩＣカード１５０が既に存在することとなり、ロック爪１６１、１６２が回動してもＩＣカード１５０の側面に当接する。この場合、上述したようにロック爪１６１、１６２は、シャフト１６５に対して所定の摩擦力をもって嵌合されているため、ロック爪１６１、１６２がＩＣカード１５０の側面に当接した状態でさらにシャフト１６５が回転しても、シャフト１６５のみが回転し、ロック爪１６１、１６２はそれ以上回動しないこととなる。これにより、ロック爪１６１、１６２は、このとき挿入されているＩＣカード１５０の搬入動作の妨げにはならない。
【００７９】
このとき挿入されているＩＣカード１５０が搬送ベルト１０５、１０６によってさらに搬入され、ロック爪１６１、１６２の位置を通過すると、ロック爪１６１、１６２は、ＩＣカード１５０の挿入経路内に入り込む。これにより、その後新たなＩＣカード１５０がカード挿入口６１から挿入されても、当該ＩＣカード１５０は、ロック爪１６１、１６２にロックされて内部に挿入することができない状態にロックされる。
【００８０】
このように、１枚のＩＣカード１５０が挿入されて搬送ベルト１０５、１０６によって内部に搬入された状態においては、ロック爪１６１、１６２によって、新たなＩＣカード１５０が挿入されることを防止することができる。
【００８１】
また、通信領域ＡＲ１１（図８）まで搬入されたＩＣカード１５０について通信処理が終了すると、当該ＩＣカード１５０は、カード挿入口６１まで搬出されてカード挿入口６１を介して外部に排出される。この搬出動作において、搬送ローラ９１〜９５、９６〜１００は、搬入時と逆回転することにより、これに応じて、ロック爪１６１、１６２は、その先端部がＩＣカード１５０の挿入経路外に退避する状態となる。これにより、ＩＣカード１５０が排出された場合には、新たにＩＣカード１５０を挿入してもロック爪１６１、１６２によるロックはされずに、筐体内部に搬入可能な状態となる。
【００８２】
また、通信領域ＡＲ１１（図８）において通信処理が終了したＩＣカード１５０がスタック部２００に搬入された場合、ロック爪１６１、１６２は、ＩＣカード１５０の挿入経路上に突出した状態が維持されるため、搬送ローラ９１〜９５、９６〜１００を僅かに逆回転させる。これにより、ロック爪１６１、１６２をＩＣカード１５０の挿入経路から退避させて、新たなＩＣカード１５０の挿入が可能な状態とすることができる。
【００８３】
なお、上述の実施の形態においては、本発明をパチンコ機のサンドに用いられるＩＣカードリーダライタ４０に適用する場合について述べたが、これに限られるものではなく、パチスロ機など、他の種々の遊技機に用いられるＩＣカードリーダライタに適用することができる。
【００８４】
また、遊技機用に限らず、例えば、自動販売機に用いられるＩＣカードリーダライタなど、他の用途に用いられるＩＣカードリーダライタに広く適用することができる。
【００８５】
また、上述の実施の形態においては、ＩＣカードとの間で情報を送受信するＩＣカードリーダライタ４０に本発明を適用する場合について述べたが、これに限られるものではなく、ＩＣカード以外のカード状記録媒体等、種々のカード媒体との間で情報を授受するカードリーダライタに本発明を適用することができる。
【００８６】
また、上述の実施の形態においては、ＩＣカードとの間で情報を送受信するＩＣカードリーダライタ４０のＩＣカード１５０を収納するスタック部２００（開閉蓋２０１）としての収納装置に本発明を適用する場合について述べたが、これに限られるものではなく、例えば、紙幣を識別するいわゆるビルバリの紙幣をスタックするスタック部としての収納装置に本発明を適用するようにしてもよい。この場合においても、価値媒体としての紙幣をスタックするスタック部をその装着対象であるビルバリの筺体に容易に組み込むことができるとともに、スタック部から紙幣を取り出す際、またはスタック部に紙幣を充填する際にスタック部（開閉蓋）が不用意に外れるといった不都合を回避することができる。
【００８７】
また、上述の実施の形態においては、図１４に示すように、筐体４１の幅の大きな側部４１Ｄに連通部４８Ｂを有する支持部４８を設け、幅の小さな側部４１Ｅに連通部のない支持部４７を設けるようにしたが、これに限られるものではなく、例えば、図２５及び図２６に示すように、幅の大きな側部４１Ｄに連通部のない支持部４７を設け、幅の小さな側部４１Ｅに連通部４８Ｂを有する支持部４８を設けるようにしてもよい。このようにすれば、筐体４１を製造する際の金型の抜き型が複雑になることを防止することができる。
【００８８】
また、上述の実施の形態においては、図１８に示したように、支持部４７の凹部４７Ｂとして、方形状のものを形成する場合について述べたが、これに限られるものではなく、例えば、図２７に示すように、先端部が鋭角に形成された凹部４７Ｂ（図２７（Ａ））、先端部が円弧状に形成された凹部４７Ｂ（図２７（Ｂ））等、用は、回動軸２０２Ａの傾きを逃がす形状であれば、種々の形状を適用することができる。
【００８９】
（スタック部及びＩＣカードリーダライタの概要）
本発明の実施の形態における収納装置（スタック部２００）は、価値媒体（ＩＣカード１５０）を複数収納する収納部（開閉蓋２０１）と、価値媒体（ＩＣカード１５０）を出し入れ可能な開口部（前方開口部２０６）と、開口部（前方開口部２０６）が収納部（開閉蓋２０１）の装着対象である筺体４１の内部に埋没した第１の回動位置と、開口部（前方開口部２０６）が筺体４１の外部に露出した第２の回動位置との間で回動可能に収納部（開閉蓋２０１）を筺体４１に枢支する支持手段と、を備え、支持手段は、収納部（開閉蓋２０１）を回動可能に支持するための第１の回動軸２０２Ｂ及び当該第１の回動軸２０２Ｂと同一軸線上に設けられた当該第１の回動軸２０２Ｂと一体又は別体の第２の回動軸２０２Ａと、第１の回動軸２０２Ｂをラジアル方向から回動可能に支持する第１の支持面を有する第１の支持孔４８Ａと、第２の回動軸２０２Ａをラジアル方向から回動可能に支持する第２の支持面を有する第２の支持孔４７Ａと、第１の回動軸２０２Ｂの第１の支持孔４８Ａに支持される部位に設けられ、第１の回動軸２０２Ｂの軸径よりも小さな厚みでなる第１の幅狭部（第２の幅狭部である平面部２０４Ａと同様形状）と、第２の回動軸２０２Ａの先端部から第２の支持孔４７Ａに支持される部位に亘って設けられ、第２の回動軸２０２Ａの軸径よりも小さな厚みでなる第２の幅狭部（平面部２０４Ａ）と、第１の支持面の一部に設けられ、第１の支持孔４８Ａの内部と外部とを連通させる連通部４８Ｂと、第２の支持面の一部に設けられ、第１の回動軸２０２Ｂの第１の幅狭部が連通部４８Ｂを挿通することにより第１の回動軸２０２Ｂが第１の支持孔４８Ａの外部に外れる際に生じる第２の回動軸２０２Ａの傾斜を吸収する凹部４７Ｂとを備えることを特徴とする。
【００９０】
この構成によれば、収納部（開閉蓋２０１）を簡単に取り外すことができるとともに、収納部（開閉蓋２０１）が一定角度以上開かれた状態になるまで、取り外しができない状態となることにより、収納部（開閉蓋２０１）を開閉する動作においては、当該収納部（開閉蓋２０１）が不用意に外れないようにすることができる。
【００９１】
本実施の形態における収納装置（スタック部２００）は、前記構成において、連通部４８Ｂは、収納部（開閉蓋２０１）が第２の回動位置にある状態で第１の幅狭部を第１の支持孔４８Ａの外部に挿通させる位置に設けられていることを特徴とする。
【００９２】
この構成によれば、収納部が第２の回動位置にある状態においてのみ収納部を取り外すことができることにより、収納部が不用意に外れないようにすることができる。
【００９３】
本発明の実施の形態におけるリーダライタ（ＩＣカードリーダライタ４０）は、アンテナ８１と、アンテナ８１を介した通信を行うための通信領域ＡＲ１に通信対象であるカード状媒体（ＩＣカード１５０）を搬送する搬送手段（搬送ローラ９１〜９５、９６〜１００、搬送ベルト１０５、１０６））と、筐体４１の一部に設けられ、カード状媒体（ＩＣカード１５０）を複数収納するカード収納部（開閉蓋２０１）と、カード収納部（開閉蓋２０１）に設けられ、カード状媒体（ＩＣカード１５０）を出し入れ可能な開口部（前方開口部２０６）と、開口部（前方開口部２０６）が筺体４１の内部に埋没した第１の回動位置と、開口部（前方開口部２０６）が筺体４１の外部に露出した第２の回動位置との間で回動可能にカード収納部（開閉蓋２０１）を筺体４１に枢支する支持手段と、を備え、支持手段は、カード収納部（開閉蓋２０１）を回動可能に支持するための第１の回動軸２０２Ｂ及び当該第１の回動軸２０２Ｂと同一軸線上に設けられた当該第１の回動軸２０２Ｂと一体又は別体の第２の回動軸２０２Ａと、第１の回動軸２０２Ｂをラジアル方向から回動可能に支持する第１の支持面を有する第１の支持孔４８Ａと、第２の回動軸２０２Ａをラジアル方向から回動可能に支持する第２の支持面を有する第２の支持孔４７Ａと、第１の回動軸２０２Ｂの第１の支持孔４８Ａに支持される部位に設けられ、第１の回動軸２０２Ｂの軸径よりも小さな厚みでなる第１の幅狭部（第２の幅狭部である平面部２０４Ａと同様形状）と、第２の回動軸２０２Ａの先端部から第２の支持孔４７Ａに支持される部位に亘って設けられ、第２の回動軸２０２Ａの軸径よりも小さな厚みでなる第２の幅狭部（平面部２０４Ａ）と、第１の支持面の一部に設けられ、第１の支持孔４８Ａの内部と外部とを連通させる連通部４８Ｂと、第２の支持面の一部に設けられ、第１の回動軸２０２Ｂの第１の幅狭部が連通部４８Ｂを挿通することにより第１の回動軸２０２Ｂが第１の支持孔４８Ａの外部に外れる際に生じる第２の回動軸２０２Ａの傾斜を吸収する凹部４７Ｂとを備えることを特徴とする。
【００９４】
この構成によれば、カード収納部（開閉蓋２０１）を簡単に取り外すことができるとともに、カード収納部（開閉蓋２０１）が一定角度以上開かれた状態になるまで、取り外しができない状態となることにより、収納部（開閉蓋２０１）を開閉する動作においては、当該収納部（開閉蓋２０１）が不用意に外れないようにすることができる。
【００９５】
本実施の形態におけるカードリーダライタ（ＩＣカードリーダライタ４０）は、前記構成において、連通部４８Ｂは、カード収納部（開閉蓋２０１）が第２の回動位置にある状態で第１の幅狭部を第１の支持孔４８Ａの外部に挿通させる位置に設けられていることを特徴とする。
【００９６】
この構成によれば、収納部が第２の回動位置にある状態においてのみ収納部を取り外すことができることにより、収納部が不用意に外れないようにすることができる。
【００９７】
本実施の形態におけるカードリーダライタ（ＩＣカードリーダライタ４０）は、前記構成において、第１及び第２の回動軸２０２Ｂ、２０２Ａは、カード収納部（スタック部２００）に設けられており、第１及び第２の支持孔４８Ａ、４７Ａは、カード収納部（開閉蓋２０１）を支持する筐体４１側に設けられていることを特徴とする。
【００９８】
この構成によれば、筺体４１側に回動軸２０２Ａ、２０２Ｂを設けても、カード収納部（開閉蓋２０１）の取り付け、取り外しを容易に行うことができると共に、使用状態においては、不用意に外れないようにすることができる。
【符号の説明】
【００９９】
１０  パチンコ機
２０  サンド
２１  紙幣挿入口
２２  硬貨投入口
２４  操作ユニット
４０  ＩＣカードリーダライタ
４１  筐体
４１Ａ  前面部
４２、６１  カード挿入口
４７、４８  支持部
４７Ａ、４８Ａ  支持孔
４７Ｂ  凹部
４７Ｃ、４８Ｃ  内周面
４８Ｂ  連通部
６０  ベゼル
７０、８０  アンテナ基板
７８、８１  アンテナ
９１〜１００  搬送ローラ
１０５、１０６  搬送ベルト
１５０  ＩＣカード
１５５  携帯電話機
２００  スタック部
２０１  開閉蓋
２０２Ａ、２０２Ｂ  回動軸
【図１】
2012038015.tif 000003
【図２】
2012038015.tif 000004
【図３】
2012038015.tif 000005
【図４】
2012038015.tif 000006
【図５】
2012038015.tif 000007
【図６】
2012038015.tif 000008
【図７】
2012038015.tif 000009
【図８】
2012038015.tif 000010
【図９】
2012038015.tif 000011
【図１０】
2012038015.tif 000012
【図１１】
2012038015.tif 000013
【図１２】
2012038015.tif 000014
【図１３】
2012038015.tif 000015
【図１４】
2012038015.tif 000016
【図１５】
2012038015.tif 000017
【図１６】
2012038015.tif 000018
【図１７】
2012038015.tif 000019
【図１８】
2012038015.tif 000020
【図１９】
2012038015.tif 000021
【図２０】
2012038015.tif 000022
【図２１】
2012038015.tif 000023
【図２２】
2012038015.tif 000024
【図２３】
2012038015.tif 000025
【図２４】
2012038015.tif 000026
【図２５】
2012038015.tif 000027
【図２６】
2012038015.tif 000028
【図２７】
2012038015.tif 000029